(57)【要約】【課題】  施設内に入場する人の携帯端末装置のみを必ず電源ＯＦＦとすることが可能な設定内容変更システムを提供する。【解決手段】  携帯端末装置１はチケット情報を基地局３及びネットワーク１００を介してチケット発行サーバ４から取得し、その情報を、内蔵する非接触型ＩＣカードに保存する。携帯端末装置１はコンサート会場やホール、スタジアム等のゲートに設置されたリーダライタ２にかざされると、携帯端末装置１の設定内容が非接触型ＩＣカードを介してリーダライタ２からの情報で自動的に書換えられ、携帯端末装置１の設定（電源のＯＮ／ＯＦＦやマナーモード設定）が変更された状態となる。【選択図】      図２                                                  
2004153785.tif 000002
【特許請求の範囲】
【請求項１】
微弱電波にて外部機器との情報の送受信を行いかつ上位装置からの認証情報を蓄積する非接触型ＩＣ（Ｉｎｔｅｇｒａｔｅｄ  Ｃｉｒｃｕｉｔ）デバイスと、前記非接触型ＩＣデバイスを介して受信した前記外部機器からの情報を基に内部モードに対応する自装置のオン／オフ動作を変更する手段とを有することを特徴とする携帯端末装置。
【請求項２】
前記外部機器は、前記非接触型ＩＣデバイスに対して情報の読出し書込みが可能なリーダライタであり、前記リーダライタと前記非接触ＩＣデバイスとの間で前記内部モードに関する通信を行い、その情報を自装置の動作に反映することを特徴とする請求項１記載の携帯端末装置。
【請求項３】
各々自装置の各種動作のオン／オフ状態が予め設定された複数の内部モードを持ち、前記外部機器から指定された内部モードに対応する動作のオン／オフ状態を変更することを特徴とする請求項１または請求項２記載の携帯端末装置。
【請求項４】
前記内部モードは、少なくとも電源と音量とバイブレーションとオフラインとについてのオン／オフ状態を設定自在としたことを特徴とする請求項１から請求項３のいずれか記載の携帯端末装置。
【請求項５】
前記上位装置は、施設への入場を認証するためのチケット情報を発行するチケット発行サーバであることを特徴とする請求項１から請求項４のいずれか記載の携帯端末装置。
【請求項６】
前記上位装置は、電子証明書を発行する認証局であることを特徴とする請求項１から請求項４のいずれか記載の携帯端末装置。
【請求項７】
認証情報を発行する上位装置と、
前記上位装置からの認証情報を蓄積する非接触型ＩＣ（Ｉｎｔｅｇｒａｔｅｄ  Ｃｉｒｃｕｉｔ）デバイスと、前記非接触型ＩＣデバイスを介して受信した情報を基に内部モードに対応する自装置のオン／オフ動作を変更する手段とを含む携帯端末装置と、
前記非接触型ＩＣデバイスとの間で微弱電波にて情報の送受信を行いかつ前記認証情報にて正常と認証した時に前記内部モードに対応する前記携帯端末装置のオン／オフ動作を指示する情報を前記非接触型ＩＣデバイスに送信する外部機器とを有することを特徴とする携帯端末設定内容変更システム。
【請求項８】
前記外部機器は、前記非接触型ＩＣデバイスに対して情報の読出し書込みが可能なリーダライタであり、前記リーダライタと前記非接触ＩＣデバイスとの間で前記内部モードに関する通信を行い、その情報を自装置の動作に反映することを特徴とする請求項７記載の設定内容変更システム。
【請求項９】
前記携帯端末装置は、各々自装置の各種動作のオン／オフ状態が予め設定された複数の内部モードを持ち、前記外部機器から指定された内部モードに対応する動作のオン／オフ状態を変更することを特徴とする請求項７または請求項８記載の携帯端末設定内容変更システム。
【請求項１０】
前記内部モードは、少なくとも電源と音量とバイブレーションとオフラインとについてのオン／オフ状態を設定自在としたことを特徴とする請求項７から請求項９のいずれか記載の携帯端末設定内容変更システム。
【請求項１１】
前記上位装置は、施設への入場を認証するためのチケット情報を発行するチケット発行サーバであることを特徴とする請求項７から請求項１０のいずれか記載の携帯端末設定内容変更システム。
【請求項１２】
前記上位装置は、電子証明書を発行する認証局であることを特徴とする請求項７から請求項１０のいずれか記載の携帯端末設定内容変更システム。
【請求項１３】
微弱電波にて外部機器との情報の送受信を行いかつ上位装置からの認証情報を蓄積する携帯端末装置内蔵の非接触型ＩＣ（Ｉｎｔｅｇｒａｔｅｄ  Ｃｉｒｃｕｉｔ）デバイスを介して前記外部機器からの情報を受信するステップと、その受信した情報を基に内部モードに対応する携帯端末装置のオン／オフ動作を変更するステップとを有することを特徴とする携帯端末設定内容変更方法。
【請求項１４】
前記外部機器は、前記非接触型ＩＣデバイスに対して情報の読出し書込みが可能なリーダライタであり、前記リーダライタと前記非接触ＩＣデバイスとの間で前記内部モードに関する通信を行い、その情報を自装置の動作に反映することを特徴とする請求項１３記載の携帯端末設定内容変更方法。
【請求項１５】
各々自装置の各種動作のオン／オフ状態が予め設定された複数の内部モードを持ち、前記外部機器から指定された内部モードに対応する動作のオン／オフ状態を変更することを特徴とする請求項１３または請求項１４記載の携帯端末設定内容変更方法。
【請求項１６】
前記内部モードは、少なくとも電源と音量とバイブレーションとオフラインとについてのオン／オフ状態を設定自在としたことを特徴とする請求項１３から請求項１５のいずれか記載の携帯端末設定内容変更方法。
【請求項１７】
前記上位装置は、施設への入場を認証するためのチケット情報を発行するチケット発行サーバであることを特徴とする請求項１３から請求項１６のいずれか記載の携帯端末設定内容変更方法。
【請求項１８】
前記上位装置は、電子証明書を発行する認証局であることを特徴とする請求項１３から請求項１６のいずれか記載の携帯端末設定内容変更方法。
【請求項１９】
コンピュータに、微弱電波にて外部機器との情報の送受信を行いかつ上位装置からの認証情報を蓄積する携帯端末装置内蔵の非接触型ＩＣ（Ｉｎｔｅｇｒａｔｅｄ  Ｃｉｒｃｕｉｔ）デバイスを介して前記外部機器からの情報を受信する処理と、その受信した情報を基に内部モードに対応する携帯端末装置のオン／オフ動作を変更する処理とを実行させるためのプログラム。
【発明の詳細な説明】
【技術分野】
【０００１】
本発明は携帯端末装置、携帯端末設定内容変更システム及びそれらに用いる方法並びにそのプログラムに関し、特に携帯端末装置における電源のＯＮ／ＯＦＦ設定を変更する方法に関する。
【背景技術】
【０００２】
従来、携帯端末装置においては、その使用場所での制限、例えば電車、駅構内、劇場、病院等の公共施設での制限（電源ＯＦＦ等の制限）が呼び掛けられているが、携帯端末装置の普及に伴って、回りの人に不快感を与える等のマナー違反による迷惑行為が増加している。また、医療電気機器等への電波の影響を考慮すると、ただのマナー違反のレベルではすまされない。
【０００３】
このような携帯端末装置の使用に制約のある場所（公共施設）に入る際、ユーザ自身が携帯端末装置の電源をＯＦＦにしたり、マナーモードに設定しなければならないことが、迷惑行為の増加に拍車をかけている。
【０００４】
そのため、公共の場所（公共施設）への入場の際に携帯端末装置の電源ＯＦＦやマナーモード設定を自動的に行う方法としては、電磁波検出時に音波信号を発生させて携帯端末装置の電源をＯＦＦする方法（例えば、特許文献１参照）、止まり木チャネルにモード変更命令を挿入してそのモード変更命令で電源ＯＦＦやマナーモードＯＮの制御を行わせる方法（例えば、特許文献２参照）、音声信号のレベルやその内容に応じて受信不可とする方法（例えば、特許文献３参照）等が提案されている。
【０００５】
【特許文献１】特開２０００−３３２６７６号公報（第３〜５頁、図１）
【特許文献２】特開２００１−７８２６３号公報（第４頁、図１）
【特許文献３】特開２００２−１５８７６１号公報（第３頁、図１）
【発明の開示】
【発明が解決しようとする課題】
【０００６】
上述した従来の携帯端末装置では、公共の場所（公共施設）への入場の際に携帯端末装置の電源ＯＦＦやマナーモード設定を自動的に行わせるために、音波信号を発生させる機器や止まり木チャネルにモード変更命令を挿入する機器を公共の場所（公共施設）に設置したり、携帯端末装置自体の高機能化（例えば、音声認識機構の内蔵）を図らなければならない。
【０００７】
上記の特許文献１，２に記載の技術では必ずしも施設内に入場する人の携帯端末装置のみを電源ＯＦＦとすることができるとは限らず、施設内に入場しない人の携帯端末装置も電源ＯＦＦにしてしまう可能性がある。また、特許文献３に記載の技術では施設内に入場する人の携帯端末装置を必ず電源ＯＦＦにできるとは限らず、レベルの誤検出や音声信号の内容の誤認識が生ずる可能性もある。
【０００８】
そこで、本発明の目的は上記の問題点を解消し、施設内に入場する人の携帯端末装置のみを必ず電源ＯＦＦとすることができる携帯端末装置、携帯端末設定内容変更システム及びそれらに用いる方法並びにそのプログラムを提供することにある。
【課題を解決するための手段】
【０００９】
本発明による携帯端末装置は、微弱電波にて外部機器との情報の送受信を行いかつ上位装置からの認証情報を蓄積する非接触型ＩＣ（Ｉｎｔｅｇｒａｔｅｄ  Ｃｉｒｃｕｉｔ）デバイスと、前記非接触型ＩＣデバイスを介して受信した前記外部機器からの情報を基に内部モードに対応する自装置のオン／オフ動作を変更する手段とを備えている。
【００１０】
本発明による携帯端末設定内容変更システムは、認証情報を発行する上位装置と、
前記上位装置からの認証情報を蓄積する非接触型ＩＣ（Ｉｎｔｅｇｒａｔｅｄ  Ｃｉｒｃｕｉｔ）デバイスと、前記非接触型ＩＣデバイスを介して受信した情報を基に内部モードに対応する自装置のオン／オフ動作を変更する手段とを含む携帯端末装置と、
前記非接触型ＩＣデバイスとの間で微弱電波にて情報の送受信を行いかつ前記認証情報にて正常と認証した時に前記内部モードに対応する前記携帯端末装置のオン／オフ動作を指示する情報を前記非接触型ＩＣデバイスに送信する外部機器とを備えている。
【００１１】
本発明による携帯端末設定内容変更方法は、微弱電波にて外部機器との情報の送受信を行いかつ上位装置からの認証情報を蓄積する携帯端末装置内蔵の非接触型ＩＣ（Ｉｎｔｅｇｒａｔｅｄ  Ｃｉｒｃｕｉｔ）デバイスを介して前記外部機器からの情報を受信するステップと、その受信した情報を基に内部モードに対応する携帯端末装置のオン／オフ動作を変更するステップとを備えている。
【００１２】
本発明による携帯端末設定内容変更方法のプログラムは、コンピュータに、微弱電波にて外部機器との情報の送受信を行いかつ上位装置からの認証情報を蓄積する携帯端末装置内蔵の非接触型ＩＣ（Ｉｎｔｅｇｒａｔｅｄ  Ｃｉｒｃｕｉｔ）デバイスを介して前記外部機器からの情報を受信する処理と、その受信した情報を基に内部モードに対応する携帯端末装置のオン／オフ動作を変更する処理とを実行させている。
【００１３】
すなわち、本発明の携帯端末装置は、非接触カード機能を内蔵し、予めチケット発行サーバや認証局（ＣＡ：Ｃｅｒｔｉｆｉｃａｔｅ  Ａｕｔｈｏｒｉｔｙ）から取得して非接触ＩＣ（Ｉｎｔｅｇｒａｔｅｄ  Ｃｉｒｃｕｉｔ）カードや非接触ＩＣチップ等の非接触デバイス機能に格納したチケット情報や電子証明書情報を使用し、コンサート会場やホールのゲート、及び改札等を通過する際に、リーダライタ内蔵のゲートや改札等を通過したことを非接触デバイスが感知して自装置の設定（電源のＯＮ／ＯＦＦやマナーモード設定）を自動的に変更することを特徴とする。
【００１４】
これによって、本発明の携帯端末装置では、制限のある場所で自装置の設定を自動的に切替えることが可能となるので、施設内に入場する人の携帯端末装置のみを必ず電源ＯＦＦやマナーモードの設定等にすることが可能となる。
【発明の効果】
【００１５】
本発明の携帯端末装置は、微弱電波にて外部機器との情報の送受信を行いかつ上位装置からの認証情報を蓄積する非接触型ＩＣデバイスと、非接触型ＩＣデバイスを介して受信した外部機器からの情報を基に内部モードに対応する自装置のオン／オフ動作を変更する手段とを設けることによって、施設内に入場する人の携帯端末装置のみを必ず電源ＯＦＦとすることができるという効果が得られる。
【発明を実施するための最良の形態】
【００１６】
次に、本発明の実施例について図面を参照して説明する。図１は本発明の一実施例による携帯端末装置の構成を示すブロック図である。図１において、本発明の一実施例による携帯端末装置は端末操作に対する操作を受付ける操作部１１と、必要な情報を表示する表示部１２と、信号音やバイブレーションにて各種通知を報知する報知部１３と、非接触型ＩＣ（Ｉｎｔｅｇｒａｔｅｄ  Ｃｉｒｃｕｉｔ：集積回路）カード１５と、無線通信の送受信を行う送受信部１６と、端末の動作に必要なプログラム（コンピュータで実行可能なプログラム）や設定を保持するメモリ１７と、メモリ１７のプログラムを実行してそれら各部の動作を制御する制御部１４とから構成されている。
【００１７】
図２は図１に示す携帯端末装置の設定内容の変更動作を示す図であり、図３は図２に示す携帯端末装置の設定内容の変更動作の仕組みを示す図であり、図４は図３に示す変更動作の仕組みにおける信号のやりとりを示すシーケンスチャートであり、図５は図１に示す携帯端末装置の設定内容の変更動作を示すフローチャートである。これら図１〜図５を参照して本発明の一実施例による携帯端末装置の設定内容の変更動作について説明する。尚、図５に示す処理は制御部１４がメモリ１７のプログラムを実行することで実現される。
【００１８】
以下、携帯端末装置１に内蔵した非接触型ＩＣカード１５を利用し、携帯端末装置１の設定（電源のＯＮ／ＯＦＦやマナーモード設定）を変更するという一連のユーザ動作について説明する。尚、本実施例においてはコンサート会場やホール、スタジアム等の入場券（チケット）を必要とし、その入場券（チケット）の情報（例えば、開始時間、座席番号等）を非接触型ＩＣカード１５に保存しておくものとする。
【００１９】
この場合、携帯端末装置１の所有者（使用者）は予めコンサート会場やホール、スタジアム等の入場券（チケット）を予約購入し、その入場券（チケット）の情報を携帯端末装置１によって基地局３及びネットワーク１００を介してチケット発行サーバ４から取得し、その情報を非接触型ＩＣカード１５に保存する［図２の（ａ）参照］。
【００２０】
携帯端末装置１の所有者（使用者）は予約した日にコンサート会場やホール等に出かけ、コンサート会場やホール、スタジアム等のゲートに設置されたリーダライタ２に、その非接触型ＩＣカード１５を内蔵した携帯端末装置１をかざすと［図２の（ｂ）参照］、携帯端末装置１の設定内容がリーダライタ２からの情報で自動的に書換えられ［図２の（ｃ）参照］、携帯端末装置１の設定（電源のＯＮ／ＯＦＦやマナーモード設定）が変更された状態となる。
【００２１】
つまり、コンサート会場やホール、スタジアム等では実行されるコンサートやライブ、試合、演目内容（演劇や朗読、落語等）に支障が出なければよいため、携帯端末装置１の設定としては最低限、着信時に無音状態となるマナーモードが設定されていればよく、携帯端末装置１にはリーダライタ２からの情報でマナーモードが設定されることとなる。
【００２２】
これによって、本実施例では制限のある場所で携帯端末装置１の設定を自動的に切替えることが可能となるので、施設内に入場する人の携帯端末装置１のみを必ず電源ＯＦＦやマナーモードの設定等にすることができる。しかも、本実施例では、携帯端末装置１の設定の書換えを、コンサート会場やホール、スタジアム等への入場者チェックと同時に行うことができる。
【００２３】
また、本実施例では、コンサート会場やホール、スタジアム等のゲートにリーダライタ２を設置すればよいため、簡易な施設で、制限のある場所で携帯端末装置１の設定を自動的に切替えることができる。
【００２４】
上述した携帯端末装置１内の設定をリーダライタ２によって変更する仕組みについて、図３及び図４を参照して説明する。ここで、携帯端末装置１の所有者（使用者）は『制限のある場所モード（複数の設定を一括で管理できるモード）』を予め操作部１１を操作して携帯端末装置１に設定しておくものとする。
【００２５】
この設定が行われている携帯端末装置１をリーダライタ２に近付けたり、接触させると、リーダライタ２側からはチケット情報を持った携帯端末装置１かどうかを確認する信号（チケット情報確認信号）ａ１が携帯端末装置１に送信される。
【００２６】
携帯端末装置１ではチケット情報が非接触型ＩＣカード１５に保存されている場合、そのチケット情報ａ２をリーダライタ２に返信する。そこで、リーダライタ２はチケット情報の認証を行い（図４のａ３参照）、認証が成立すると、自動モード変更に対応しているという情報の信号（自動モード変更対応情報）ａ４を非接触型ＩＣカード１５に送る。
【００２７】
非接触型ＩＣカード１５はその信号を得ると、リーダライタ２に、モードＯＮ／ＯＦＦの情報を取得するためにモードＯＮ／ＯＦＦ情報取得要求ａ５を送る。リーダライタ２側ではその要求に応答して携帯端末装置１の設定（モード）のＯＮ／ＯＦＦを切替える信号（モードＯＮ／ＯＦＦ情報）ａ６を非接触型ＩＣカード１５に送る（図３のａ参照）。非接触型ＩＣカード１５はそのモードＯＮ／ＯＦＦ情報を受信すると、モードＯＮ／ＯＦＦ情報を携帯端末装置１の制御部１４に送る（図３のｂ参照）。
【００２８】
続いて、携帯端末装置１の内部で行われている動作について、図５を参照して説明する。携帯端末装置１において、制御部１４は非接触型ＩＣカード１５から送信された設定のＯＮ／ＯＦＦ情報を正常に受信すると（図５ステップＳ１）、『制限のある場所モード（複数の設定を一括で管理できるモード）』のＯＮ／ＯＦＦ切替えを実行し（図５ステップＳ２）、その設定状態をメモリ１７に保存する（図５ステップＳ３）。
【００２９】
また、制御部１４はそのモードに切替えられたことを表示部１２に表示させるとともに（図５ステップＳ４）、そのモードに設定中であることを表示部１２に表示する（図５ステップＳ５）。
【００３０】
このように、本実施例では、携帯端末装置１に対して使用制約のある場所、つまりコンサート会場やホール、スタジアム等に入場する際に、『自動的に電波をＯＦＦにする』等の機能を一つ一つ設定しなくても、携帯端末装置１をリーダライタ２にかざすだけで、自動的に切替えることができる。
【００３１】
これは非接触型ＩＣカード１５とリーダライタ２との間で情報をやりとりすることで携帯端末装置１の機能を切替えており、一括でその状況にあった機能に変更することができる。また、本実施例では、制約のある場所に入場する毎にユーザ操作を行う必要がなくなるので、設定のし忘れや解除のし忘れを防ぐことができる。ここで、入場時に設定変更した内容を解除する場合には、退場時に携帯端末装置１をリーダライタ２に再度かざせばよい。
【００３２】
尚、本実施例では、コンサート会場やホール、スタジアム等に入場する場合について述べたが、入場券（チケット）の予約購入を必要とする飛行機、映画館、電車等にも適用可能であり、診察券等を発行する病院等にも適用することができる。
【００３３】
図６は本発明の他の実施例による携帯端末装置の設定内容の変更動作を示す図であり、図７は図６に示す変更動作の仕組みにおける信号のやりとりを示すシーケンスチャートである。本発明の他の実施例ではチケット発行サーバ２の代わりに電子証明書の発行を行う認証局（ＣＡ：Ｃｅｒｔｉｆｉｃａｔｅ  Ａｕｔｈｏｒｉｔｙ）５を設置した以外は図２に示すシステム構成と同様の構成となっており、同一構成要素には同一符号を付してある。
【００３４】
また、本発明の他の実施例による携帯端末装置の構成は図１に示す本発明の一実施例による携帯端末装置１と同様の構成となっている。これら図１と図６と図７とを参照して本発明の他の実施例による携帯端末装置の設定内容の変更動作について説明する。
【００３５】
以下、携帯端末装置１に内蔵した非接触型ＩＣカード１５を利用し、携帯端末装置１の設定（電源のＯＮ／ＯＦＦやマナーモード設定）を変更するという一連のユーザ動作について説明する。尚、本実施例においてはコンサート会場やホール、スタジアム等に入場する際に、予め携帯端末装置１の所有者（使用者）が認証局５に登録しておき、認証局５から発行される電子証明書を非接触型ＩＣカード１５に保存しておくものとする。
【００３６】
この場合、携帯端末装置１の所有者（使用者）は携帯端末装置１によって、認証局５から発行される電子証明書を、基地局３及びネットワーク１００を介して取得しておき、その情報を非接触型ＩＣカード１５に保存しておく［図６の（ｄ）参照］。
【００３７】
携帯端末装置１の所有者（使用者）はコンサート会場やホール、スタジアム等のゲートに設置されたリーダライタ２に、その非接触型ＩＣカード１５を内蔵した携帯端末装置１をかざすと［図６の（ｅ）参照］、携帯端末装置１の設定内容がリーダライタ２からの情報で自動的に書換えられ［図６の（ｆ）参照］、携帯端末装置１の設定（電源のＯＮ／ＯＦＦやマナーモード設定）が変更された状態となる。
【００３８】
つまり、コンサート会場やホール、スタジアム等では実行されるコンサートやライブ、試合、演目内容（演劇や朗読、落語等）に支障が出なければよいため、携帯端末装置１の設定としては最低限、着信時に無音状態となるマナーモードが設定されていればよく、携帯端末装置１にはリーダライタ２からの情報でマナーモードが設定されることとなる。
【００３９】
これによって、本実施例では制限のある場所で携帯端末装置１の設定を自動的に切替えることが可能となるので、施設内に入場する人の携帯端末装置１のみを必ず電源ＯＦＦやマナーモードの設定等にすることができる。また、本実施例では、コンサート会場やホール、スタジアム等のゲートにリーダライタ２を設置すればよいため、簡易な施設で、制限のある場所で携帯端末装置１の設定を自動的に切替えることができる。
【００４０】
上述した携帯端末装置１内の設定をリーダライタ２によって変更する仕組みについて、図７を参照して説明する。ここで、携帯端末装置１の所有者（使用者）は『制限のある場所モード（複数の設定を一括で管理できるモード）』を予め操作部１１を操作して携帯端末装置１に設定しておくものとする。
【００４１】
この設定が行われている携帯端末装置１をリーダライタ２に近付けたり、接触させると、リーダライタ２側からは電子証明書情報を持った携帯端末装置１かどうかを確認する信号（証明書情報確認信号）ａ１１が携帯端末装置１に送信される。
【００４２】
携帯端末装置１では証明書情報が非接触型ＩＣカード１５に保存されている場合、その証明書情報（電子証明書）ａ１２をリーダライタ２に返信する。そこで、リーダライタ２は証明書情報の認証を行い（図７のａ１３参照）、認証が成立すると、自動モード変更に対応しているという情報の信号（自動モード変更対応情報）ａ１４を非接触型ＩＣカード１５に送る。
【００４３】
非接触型ＩＣカード１５はその信号を得ると、リーダライタ２に、モードＯＮ／ＯＦＦの情報を取得するためにモードＯＮ／ＯＦＦ情報取得要求ａ１５を送る。リーダライタ２側ではその要求に応答して携帯端末装置１の設定（モード）のＯＮ／ＯＦＦを切替える信号（モードＯＮ／ＯＦＦ情報）ａ１６を非接触型ＩＣカード１５に送る。非接触型ＩＣカード１５はそのモードＯＮ／ＯＦＦ情報を受信すると、モードＯＮ／ＯＦＦ情報を携帯端末装置１の制御部１４に送る。
【００４４】
このように、本実施例では、携帯端末装置１に対して使用制約のある場所、つまりコンサート会場やホール、スタジアム等に入場する際に、『自動的に電波をＯＦＦにする』等の機能を一つ一つ設定しなくても、携帯端末装置１をリーダライタ２にかざすだけで、自動的に切替えることができる。
【００４５】
これは非接触型ＩＣカード１５とリーダライタ２との間で情報をやりとりすることで携帯端末装置１の機能を切替えており、一括でその状況にあった機能に変更することができる。また、本実施例では、制約のある場所に入場する毎にユーザ操作を行う必要がなくなるので、設定のし忘れや解除のし忘れを防ぐことができる。ここで、入場時に設定変更した内容を解除する場合には、退場時に携帯端末装置１をリーダライタ２に再度かざせばよい。
【００４６】
しかも、本実施例では、携帯端末装置１が正当なものであることを認証局５から発行される電子証明書で確認することができるので、その電子証明書を用いて上述したチケット情報の暗号化も可能となる。
【００４７】
尚、本実施例では、コンサート会場やホール、スタジアム等に入場する場合について述べたが、入場券（チケット）の予約購入を必要とする飛行機、映画館、電車等にも適用可能であり、診察券等を発行する病院等にも適用することができる。
【００４８】
図８は本発明の別の実施例によるモード毎の設定内容を示す図であり、図９は本発明の別の実施例による携帯端末装置の設定内容の変更動作を示すフローチャートである。本発明の別の実施例による携帯端末装置の構成は図１に示す本発明の一実施例による携帯端末装置１と同様の構成となっており、本発明の別の実施例のシステム構成は図２に示す本発明の一実施例のシステム構成と同様となっている。これら図１と図８と図９とを参照して本発明の他の実施例による携帯端末装置の設定内容の変更動作について説明する。尚、図９に示す処理は制御部１４がメモリ１７のプログラムを実行することで実現される。
【００４９】
本実施例では、携帯端末装置１で『制限のある場所モード（複数の設定を一括で管理できるモード）』を複数もつことで、その状況にあったモードに切替える方法に応用したものである。この指定のモードの切替え設定への動作について図１と図８と図９とを参照して説明する。
【００５０】
まず、携帯端末装置１で『制限のある場所モード（複数の設定を一括で管理できるモード）』を病院モード、電車モード、コンサートモード（ロック、クラッシック等）等、操作部１１を操作して複数設定しておく。尚、以下の説明では、図８に示すように、ｍｏｄｅ＃１（：病院モード）とｍｏｄｅ＃２（：コンサートモード）との２つのモードが携帯端末装置１にプリセットされており、それらの情報がメモリ１７に保存されているものとする。これらのモードはユーザによって設定の変更が可能となっている。
【００５１】
図８においては、ｍｏｄｅ＃１（：病院モード）の場合、音量関係がＯＦＦに、バイブレーションがＯＦＦに、オフラインがＯＮにそれぞれ設定されており、ｍｏｄｅ＃２（：コンサートモード）の場合、音量関係がＯＦＦに、バイブレーションがＯＮに、オフラインがＯＦＦにそれぞれ設定されている。
【００５２】
上記の音量関係機能、バイブレーション機能の動作は報知部１３で行われ、オフライン機能の動作は送受信部１６にて行われ、報知部１３及び送受信部１６の制御は制御部１４にて行われる。
【００５３】
上記のようなモードの設定がされている携帯端末装置１をリーダライタ２に近付けたり、接触させたりすると、リーダライタ２は指定されたモード（ｍｏｄｅ＃２）のＯＮ／ＯＦＦ情報を非接触型ＩＣカード１５に送る。非接触型ＩＣカード１５はその情報を制御部１４に送る。
【００５４】
制御部１４は非接触型ＩＣカード１５から指定されたモード（ｍｏｄｅ＃２）のＯＮ／ＯＦＦ情報を受信すると（図９ステップＳ１１）、指定されたモード（ｍｏｄｅ＃２）がメモリ１７に保存されていれば（図９ステップＳ１２）、そのモード（ｍｏｄｅ＃２）のＯＮ／ＯＦＦを切替える（図９ステップＳ１３）。
【００５５】
また、制御部１４は指定されたモード（ｍｏｄｅ＃２）がメモリ１７に保存されていない場合（図９ステップＳ１２）、複数の設定をもっていなければ（図９ステップＳ１７）、搭載されているその一つのモードのＯＮ／ＯＦＦを切替え（図９ステップＳ１８）。
【００５６】
制御部１４は複数の設定をもっているものの（図９ステップＳ１７）、指定されたモードがなければ、ｍｏｄｅ＃１（一番制約が厳しいモード）のＯＮ／ＯＦＦを切替える（図９ステップＳ１９）。
【００５７】
上記の処理の後に、制御部１４は指定された設定状態をメモリ１７に保存し（図９ステップＳ１４）、そのモードに切替えられたことを表示部１２に表示させるとともに（図９ステップＳ１５）、そのモードに設定中であることを表示部１２に表示する（図９ステップＳ１６）。
【００５８】
これによって、本実施例では、携帯端末装置１で『制限のある場所モード（複数の設定を一括で管理できるモード）』を複数もつことで、その状況にあったモードに切替えることができる。
【００５９】
尚、上述した各実施例においては、携帯端末装置に内蔵され外部機器であるリーダライタと通信が実行される非接触型ＩＣデバイスとして、非接触型ＩＣカードを用いている。しかしながら、本発明における非接触型ＩＣデバイスは、カードに限らず、非接触ＩＣチップ等の他の形態のＩＣデバイスを使用しても良い。
【００６０】
非接触型ＩＣチップを使用する場合には、非接触型ＩＣチップに光送受信素子や電磁波送受信素子を設け、光信号や電磁波信号のやり取りによって非接触ＩＣチップと外部機器（リーダライタ）との間で図４及び図７に示す信号シーケンスの実行と、図８に示すｍｏｄｅのＯＮ／ＯＦＦ情報のやり取りとが行われる。本発明の場合、非接触型ＩＣデバイスと外部機器との間の通信は、赤外線を含む光信号や電磁波信号等を利用し、非接触型ＩＣデバイスと外部機器とにそれぞれ設けた非接触型通信手段を介して実行されていれば良い。
【００６１】
また、本発明において、図１に示す携帯端末装置は、制御部１４にカメラが接続されているカメラ付き携帯端末装置であっても良い。この場合には、カメラのＯＮ／ＯＦＦが外部機器を介して制御できるように、例えば図８に示すｍｏｄｅのＯＮ／ＯＦＦにカメラのＯＮ／ＯＦＦを追加すれば良い。
【産業上の利用可能性】
【００６２】
上述した説明では、チケット情報や証明書情報を用いる場合について述べたが、予め設定された機関（公的機関や民間機関）で発行される会員情報等に用いることも可能であり、本発明はこれに限定されない。
【図面の簡単な説明】
【００６３】
【図１】本発明の一実施例による携帯端末装置の構成を示すブロック図である。
【図２】図１に示す携帯端末装置の設定内容の変更動作を示す図である。
【図３】図２に示す携帯端末装置の設定内容の変更動作の仕組みを示す図である。
【図４】図３に示す変更動作の仕組みにおける信号のやりとりを示すシーケンスチャートである。
【図５】図１に示す携帯端末装置の設定内容の変更動作を示すフローチャートである。
【図６】本発明の他の実施例による携帯端末装置の設定内容の変更動作を示す図である。
【図７】図６に示す変更動作の仕組みにおける信号のやりとりを示すシーケンスチャートである。
【図８】本発明の別の実施例によるモード毎の設定内容を示す図である。
【図９】本発明の別の実施例による携帯端末装置の設定内容の変更動作を示すフローチャートである。
【符号の説明】
【００６４】
１  携帯端末装置
２  リーダライタ
３  基地局
４  チケット発行サーバ
５  認証局
１１  操作部
１２  表示部
１３  報知部
１４  制御部
１５  非接触型ＩＣカード
１６  送受信部
１７  メモリ
１００  ネットワーク
【図１】
2004153785.tif 000003
【図２】
2004153785.tif 000004
【図３】
2004153785.tif 000005
【図４】
2004153785.tif 000006
【図５】
2004153785.tif 000007
【図６】
2004153785.tif 000008
【図７】
2004153785.tif 000009
【図８】
2004153785.tif 000010
【図９】
2004153785.tif 000011